(57)【要約】【課題】ＡＶボードの収納台を開閉できるようにしたことで収納台を収納した際、ＡＶ機器の高さがＡＶボードの奥行に反映されAVボードの奥行を薄型化できるようにする。【解決手段】収納台８をＡＶボード１に取り付ける構造であって、収納台側面板９に貫通した穴１０を設け、前記貫通した穴１０に貫通した穴を持つ回転機能を有する器具１３を挿入する、収納台側面板11に貫通した穴１２を設け、前記貫通した穴１２に回転機能を持つ器具１６を挿入する。コードを逃がす溝14、溝15は貫通した穴を持つ回転機能を有する器具１３に通じるよう支柱６、支柱７に設ける。【選択図】図１
2011115412.tif 000002
【特許請求の範囲】
【請求項１】
ＡＶ機器を収納する家具におけるＡＶボードであって、AVボードに貫通した穴を持つ回転機能を有する器具が取り付けられるとともに、前記貫通した穴を持つ回転機能を有する器具によって収納台が固定されたことを特徴とするＡＶボード。
【請求項２】
ＡＶボードにＡＶ機器のコードを這わせる溝を有することを特徴とする請求項１のＡＶボード。
【発明の詳細な説明】
【技術分野】
【０００１】
本発明は、ＡＶ機器を収納するＡＶボード、テレビ台その他収納棚に関する。
【背景技術】
【０００２】
従来のＡＶボードは、水平に固定された収納台にＡＶ機器を載せるだけのものであった。
【０００３】
ＡＶボードの目的は、天板にブラウン管テレビを設置すると共に水平に固定された収納台にＡＶ機器を設置し一体化するだけであり、ブラウン管テレビの奥行とＡＶ機器の奥行がほとんど同じであるため、ＡＶボードの天板の広さとＡＶボードの奥行をブラウン管テレビの底辺の広さに合わせて作成しても違和感なく使用することができたが、ＡＶボードを部屋に設置すると場所を取ってしまい部屋がせまくなってしまう。
【０００４】
しかしながら、薄型テレビが普及し始めた今日、従来のＡＶ機器を水平に設置した、ＡＶ機器の奥行に合わせたＡＶボード、ブラウン管テレビの底辺の広さに合わせた天板を持つＡＶボードでは、テレビ台が大きくなってしまい、薄型テレビを設置した際、天板が余った状態になっている。テレビは薄型化したのにＡＶボードは従来の大きさのままである。
【０００５】
【特許文献１】特開２００２-２４６８６８号公報
【発明の概要】
【発明が解決しようとする課題】
【０００６】
上述の如く、従来技術に係るＡＶボードは、ＡＶ機器の奥行とブラウン管テレビの底辺の広さに合わせ、天板の広さを決めるしかなかったので、ＡＶボード自体が大きくなり、ＡＶボードを部屋に設置すると場所を取ってしまい、部屋がせまくなっていた。
【０００７】
本発明は、このようなことに鑑みて成されたものであり、その目的は、支柱に貫通した穴を持つ回転機能を有する器具を取り付け、ＡＶ機器を載せる収納台側面板の貫通した穴に、前記貫通した穴を持つ回転機能を有する器具を挿入することにより、収納台を開閉可能にしたことによって、ＡＶ機器を縦方向に収納する機能を持たせることができ、ＡＶ機器を縦方向に収納した際、ＡＶボードの奥行を少なくすることができるようになる。結果、ＡＶ機器の高さがＡＶボードの奥行に反映される仕組みになり、ＡＶボードが少ないスペースで設置できるようにすることにある。
【課題を解決するための手段】
【０００８】
上述の目的を達成する本発明のＡＶボードは、収納台が開閉可能となるよう、貫通した穴を持つ回転機能を有する器具を取り付けられたことを特徴とする。
【０００９】
一例として、ＡＶ機器を収納台に設置した際、ＡＶ機器コードは前記貫通した穴を持つ回転機能を有する器具に通し、溝にはわせるようにして取り付けられる。
【発明の効果】
【００１０】
以上説明したように本発明によれば、ＡＶボードに貫通した穴を持つ回転機能を有する器具を用い、収納台側面板の貫通した穴に挿入することにより収納台が開閉可能となり、収納台を開けたり収納することが可能になる。このＡＶボードを用いることで、ＡＶ機器を収納した際、ＡＶ機器の高さの分しかＡＶボード奥行に反映されないので、天板の奥行を狭く作成することができ、AVボード自体も奥行きを狭く作成することができるので、部屋に設置したとき場所を取らなくてすむようになる。
【００１１】
又、ＡＶ機器を収納台に設置し、ＡＶ機器コードを貫通した穴を持つ回転機能を有する器具の貫通した穴に通し、AV機器コードの状態を一定に保つことで、収納台開閉時に生じるＡＶ機器コードの曲げ運動により発生するＡＶ機器コードの断線を防止できる。
【００１２】
ＡＶ機器コードは前記貫通した穴を持つ回転機能を有する器具の貫通した穴に通し、溝にはわせるようにして取り付けるのでＡＶ機器コードを目立たなくすることができる。
【発明を実施するための形態】
【００１３】
以下、本発明の実施の形態を図面に基づき詳細に説明する。
【００１４】
図１〜図４は本発明の第１の実施の形態に係り、図１はその外観斜視図、図２は収納台の外観斜視図、図３は貫通した穴を持つ回転機能を有する器具の部分の断面図、図４は回転機能を持つ器具の部分の断面図である。
【００１５】
図１に示すようにＡＶボード1は、収納台８を支える為に貫通した穴を持つ回転機能を有する器具１３と回転機能を持つ器具１６をそれぞれ支柱５、支柱６に取り付けたものである。
【００１６】
図２に示すように、収納台側面板９、収納台側面板１１は貫通した穴を持つ回転機能を有する器具１３と回転機能を持つ器具１６を挿入するための貫通した穴１０、貫通した穴１２を有する。
【００１７】
図３に示すように貫通した穴を持つ回転機能を有する器具１３は、支柱６にはめ込み、支柱７にて固定されるように用いられる。
【００１８】
また、溝１４、溝１５は貫通した穴を持つ回転機能を有する器具１３に通じるように成される。
【００１９】
図４に示すように回転機能を持つ器具１６は支柱５にボルト等１７で取り付けられる。
【００２０】
さらに、発明を実施する為の形態では、支柱６に貫通した穴を持つ回転機能を有する器具１３を取り付けると説明しているが、貫通した穴を持つ回転機能を有する器具１３の取り付け箇所は支柱６に限られるものではなくその他、例えば天板２と底台３にも取り付けることができ大きさ等を、任意に設定することができる。
【００２１】
以上、発明を実施するための形態を説明したが、本発明の範囲はこれに限定されるものではない。例えば貫通した穴を持つ回転機能を有する器具の個数や設置位置、貫通した穴を持つ回転機能を有する器具を挿入する為の貫通した穴の位置関係、溝の位置関係は状況に応じて選択される。
【００２２】
又、本発明のＡＶボードはテレビを載せなくても使用できる構造にすることも可能である。
【図面の簡単な説明】
【００２３】
【図１】本発明の第１の実施に係るＡＶボードの外観斜視図である。
【図２】図１の収納台の外観斜視図である。
【図３】図１のＡＶボードの貫通した穴を持つ回転機能を有する器具の部分の断面図である。
【図４】図１のＡＶボードの回転機能を持つ器具の部分の断面図である。
【産業上の利用可能性】
【００２４】
本発明は、ＡＶボード、ＡＶ機器の収納台として、製造販売する、産業分野で利用することができる。
【符号の説明】
【００２５】
１    ＡＶボード
２    天板
３    底台
４    側板
５    支柱  
６    支柱
７    支柱
８    収納台
９    収納台側面板
１０   貫通した穴
１１   収納台側面板
１２  貫通した穴
１３   貫通した穴を持つ回転機能を有する器具
１４   溝
１５   溝
１６  回転機能を持つ器具
１７   ボルト
１８   溝
１９   器具取り付け穴
【図１】
2011115412.tif 000003
【図２】
2011115412.tif 000004
【図３】
2011115412.tif 000005
【図４】
2011115412.tif 000006